(57)【要約】【課題】静電気による埃の付着を防止することができて、ケース外面を綺麗な状態に長期間に亘って維持することのできる清掃用ブラシケースを提供すること。【解決手段】この発明に係るケースＣ１は、その前面にブラシ出し入れ口７を開閉する扉１０を有している。扉１０の外面の少なくとも一部には、アルミニウム被覆層等の金属被覆層１４が設けられている。金属被覆層１４の表面は、金属光沢を呈するものとなされている。【選択図】　　　図４
2004016536.tif 000002
【特許請求の範囲】
【請求項１】
前面にブラシ出し入れ口（７）を開閉する扉（１０）を有する清掃用ブラシケース（Ｃ１、Ｃ２）において、
前記扉（１０）の外面の少なくとも一部に、金属被覆層（１４）が設けられるとともに、前記金属被覆層（１４）の表面が金属光沢を呈するものとなされていることを特徴とする清掃用ブラシケース。
【請求項２】
前記金属被覆層（１４）は、金属薄板（１２）からなる請求項１記載の清掃用ブラシケース。
【請求項３】
前記金属薄板（１２）は、前記扉（１０）の外面に形成された凹部（１１）内に収容された状態で設けられている請求項２記載の清掃用ブラシケース。
【請求項４】
前記金属被覆層（１４）は、金属蒸着層（１３）からなる請求項１記載の清掃用ブラシケース。
【発明の詳細な説明】
【０００１】
【発明の属する技術分野】
この発明は、トイレ内や浴室内等に設置される清掃用ブラシケースに関する。
【０００２】
【従来の技術】
例えば便器や浴槽を清掃する際に用いられる清掃用ブラシを収容するケースとして、従来より、トイレ内や浴室内の隅部に設置されるものが知られている。
【０００３】
この種のケースは、一般に前面にブラシ出し入れ口を開閉する扉を有しており、扉をその下端部を中心に前方側へ回動させることにより、ブラシ出し入れ口が開口されるものとなされている。
【０００４】
【発明が解決しようとする課題】
ところで、この種のケースは、成形性が容易等の理由により専らプラスチックから製作されていた。そのため、次のような難点があった。
【０００５】
すなわち、プラスチック製のケースは、静電気が発生し易いため、この静電気により空気中の埃が吸い寄せられてケースの外面に付着し、ケース外面が汚れるという現象が生じる。そのため、このケースを販売するためにこれを店頭に陳列した場合には、比較的短期間のうちにケースの外面が汚損され、外観的に見苦しい状態となって、購買者の購入意欲が損なわれるという問題が生じる。そのため、店員においては、ケースの外面の汚れを落とすためにふき取り掃除を頻繁に行う必要があった。
【０００６】
一方、このケースを購入した購入者においては、このケースを使用すべくこれをトイレや浴室内の隅部に設置した場合にも、比較的短期間のうちにケースの外面が埃の付着堆積によって汚損され、トイレや浴室の清潔感が損なわれるという問題が生じていた。そのため、このケースを使用する使用者においてもやはりケースの外面の汚れを落とすために頻繁にふき取り掃除を行う必要があった。
【０００７】
その上、上記構成のケースでは、扉の回動動作によっても静電気が発生するので、特に埃が付着し易かった。
【０００８】
この発明は、上述した問題を解決するためになされたもので、その目的は、前面にブラシ出し入れ口を開閉する扉を有する清掃用ブラシケースであって、静電気による埃の付着を防止することができて、ふき取り掃除を頻繁に行わなくてもケース外面を綺麗な状態に長期間に亘って維持することのできる清掃用ブラシケースを提供することにある。
【０００９】
【課題を解決するための手段】
上記目的を達成するため、この発明に係る清掃用ブラシケースは、前面にブラシ出し入れ口を開閉する扉を有する清掃用ブラシケースにおいて、前記扉の外面の少なくとも一部に、金属被覆層が設けられるとともに、前記金属被覆層の表面が金属光沢を呈するものとなされていることを特徴としている。
【００１０】
このケースにおいては、扉の外面の少なくとも一部に金属被覆層が設けられることにより、静電気が発生し難くなるし、また発生した静電気が逃げ易くなり、そのため、ケースの外面に埃が付着し難くなる。その結果、ケースの外面が綺麗な状態に長期間に亘って維持され、ふき取り掃除を頻繁に行う必要がなくなる。
【００１１】
また、金属被覆層の表面が金属光沢を呈するものとなされていることにより、ケースに高級感が付与される。そのため、このケースを店頭に陳列した場合には、お客の購入意欲をかき立てることができる。
【００１２】
なお、このケース内に収容される清掃用ブラシとしては、トイレ清掃用柄付きブラシや浴槽清掃用柄付きブラシを例示することができる。また、金属被覆層の材質は、特に限定されず、様々な種類の金属を適用することができ、例えばアルミニウム、ステンレス鋼、銅が適用される。また、金属被覆層の表面が呈する金属光沢は、例えば鏡面的な金属光沢であっても良いし、艶消し状態の鈍い金属光沢であっても良く、その光沢具体に限定されるものではない。また、扉の外面に対する金属被覆層の被覆率は、特に限定されるものではなく、様々に設定可能であるが、５０％以上、特に好ましくは８０％以上に設定されていることが良い。なお、この発明では、このケースにおいて扉の外面は、当該ケースの全外面のうち特に汚れの目立ち易い面であることから、扉の外面の少なくとも一部に金属被覆層を設けることとする。
【００１３】
また、このケースにおいて、金属被覆層は金属薄板からなるものとすることが望ましい。
【００１４】
この場合には、金属被覆層を簡単な手段で所定部位に設けることができる。
【００１５】
なお、金属薄板の材質としては、特に限定されるものではなく、様々な材質の金属薄板を用いることができ、例えばアルミニウム（その合金を含む。以下同じ。）薄板、ステンレス鋼薄板、銅薄板が用いられる。また、金属薄板としては、金属箔をはじめ、様々な厚さの金属薄板を用いることができ、例えば０．０５〜０．５ｍｍの範囲内の厚さを有する金属薄板を好適に用いることができる。
【００１６】
特に、金属薄板は、扉の外面に形成された凹部内に収容された状態で設けられていることが望ましい。
【００１７】
この場合には、金属薄板が凹部内に収容されることにより、ケースの外観体裁が更に向上するし、金属薄板の縁で手や足を切る不具合が防止される。
【００１８】
また、このケースにおいて、金属被覆層は金属蒸着層からなるものであっても良い。
【００１９】
この場合には、金属被覆層を所定部位に簡易に且つ確実に形成することができる。なお、金属蒸着層の金属の種類としては、特に限定されるものではなく、様々な種類の金属の蒸着層を適用することができ、例えばアルミニウム蒸着層や銅蒸着層が適用される。また、金属蒸着層の厚さについても限定されず、様々な厚さに設定可能であり、例えば０．０１〜１００μｍの範囲内の厚さに設定される。また、金属蒸着層の蒸着方法についても限定されず、公知の蒸着方法を適用可能である。
【００２０】
【発明の実施の形態】
次に、この発明の実施形態について図面を参照して説明する。
【００２１】
図１〜図５は、この発明の第１実施形態に係る清掃用ブラシケースを説明する図である。図１において、（Ｃ１）は、第１実施形態に係る清掃用ブラシケースである。このケース（Ｃ１）は、図２に示すように、清掃用ブラシとして、棒状の柄（３２）の先端部にブラシ体（３１）が設けられたトイレ清掃用柄付きブラシ（３０）を収容するためのものである。
【００２２】
このケース（Ｃ１）は、プラスチック製ケース本体（１）と、プラスチック製扉（１０）とを備えている。
【００２３】
ケース本体（１）は、図３に示すように、前面が開放された箱形のものであって、図３及び図４に示すように前面開口をブラシ出し入れ口（７）とするものである。このケース本体（１）の構成について詳述すると、このケース本体（１）は、後壁（２）と左右両側壁（３）（３）と天壁（４）と底壁（５）とを有している。左右両側壁（３）（３）の前縁は、上端に至るにつれて後方側へ傾斜した傾斜状に形成されている。天壁（４）には、ブラシ（３０）の柄（３２）が嵌め込まれる切欠き部（４ａ）が設けられている。
【００２４】
一方、扉（１０）は、ケース本体（１）のブラシ出し入れ口（７）を閉塞し得る大きさを有する板状に形成されている。そして、この扉（１０）が、ブラシ（３０）のブラシ体（３１）を受ける受け皿部（１５）の前端部に該受け皿部（１５）に対して立ち上がり状に一体に連設されている。また、この扉（１０）の下端部には、回転軸部としての突片（１６）が下方突出状に一体に設けられている。
【００２５】
また、ケース本体（１）において、図２に示すように、底壁（５）の前部は上方側に屈曲している。そして、この底壁（５）の前端部に、回転軸孔部としての差込み孔（６）が設けられている。この差込み孔（６）の周縁後部は斜めに尖っている。そして、この差込み孔（６）内に扉（１０）の突片（１６）が若干ゆるく差し込まれることにより、扉（１０）がこの突片（１６）を中心に前方側へ回動自在にケース本体（１）の前面に取り付けられている。
【００２６】
図２に示すように、この扉（１０）がケース本体（１）の前面に配設されて略起立姿勢になっているとき、ケース本体（１）のブラシ出し入れ口（７）はこの扉（１０）によって閉塞されている。そして、この状態から、図４に示すように扉（１０）が突片（１６）を中心に前方側へ回動することにより、ブラシ出し入れ口（７）が開口される。そして、この扉（１０）の回動動作の途中で、突片（１６）が差込み孔（６）の周縁後部にぶつかることにより、扉（１０）の前方側への回動動作が規制されるとともに、扉（１０）が自重により前方側へ傾斜した姿勢に保持されるものとなされている。一方、受け皿部（１５）は、上述した扉（１０）の前方側への回動動作に伴って該扉（１０）と一体的に動き、突片（１６）を中心に上方側へ回動されるものとなる。
【００２７】
この扉（１０）において、図３〜図５に示すように、該扉（１０）の外面には、その中央から周縁近傍までの領域に亘って、所定深さを有する凹部（１１）が形成されている。そして、この凹部（１１）内に金属薄板としてのアルミニウム薄板（１２）が収容されるとともに、この収容状態で、該アルミニウム薄板（１２）が凹部（１１）の底面に接着剤等で接着されて固定されている。これにより、扉（１０）の外面には、その中央から周縁近傍までの領域に亘って、アルミニウム薄板（１２）からなるアルミニウム被覆層（１４）が形成されている。
【００２８】
凹部（１１）の深さは、アルミニウム薄板（１２）の厚さと略同寸に設定されており、そのため、図５に示すように、凹部（１１）内にアルミニウム薄板（１２）が収容された状態において、扉（１０）の外面とアルミニウム薄板（１２）の表面とは面一に連なっている。
【００２９】
このアルミニウム薄板（１２）の表面には鏡面加工が施されており、これにより、このアルミニウム薄板（１２）の表面は、鏡面的な金属光沢を呈するものとなされている。
【００３０】
次に、上記構成のケース（Ｃ１）の使用方法を説明する。
【００３１】
このケース（Ｃ１）を、トイレ内の隅部等の所定場所に扉（１０）の外面が正面を向く態様にして設置する。そして、図３及び図４に示すように、扉（１０）を突片（１６）を中心に前方側へ傾動させてケース本体（１）のブラシ出し入れ口（７）を開口する。そして、図４に示すように、ブラシ（３０）のブラシ体（３１）をブラシ出し入れ口（７）からケース本体（１）内に挿入して受け皿部（１５）に載置しつつ、ブラシ（３０）の柄（３２）を切欠き部（４ａ）内に嵌め込む。これにより、受け皿部（１５）がブラシ（３０）の重量で下方側へ押されて、扉（１０）が突片（１６）を中心に立ち上がり方向へ回動する。そして、扉（１０）がケース本体（１）の左右両側板（３）（３）の前縁にぶつかることにより、扉（１０）の更なる回動が規制されて扉（１０）が略起立姿勢になり、ブラシ出し入れ口（７）が閉塞される。こうしてブラシ（３０）のブラシ体（３１）がケース（Ｃ１）内に収容される。
【００３２】
一方、ブラシ（３０）のブラシ体（３１）をケース（Ｃ１）内から取り出す場合には、ブラシ（３０）の柄（３２）を持ってこれを前方側へ傾倒する。これにより、柄（３２）が切欠き部（４ａ）から取り出されるとともに、扉（１０）が突片（１６）を中心に前方側へ回動する。そして、突片（１６）が差込み孔（６）の周縁後部にぶつかることにより、扉（１０）の更なる回動が規制されて該扉（１０）が前方側へ斜めに傾倒した状態に保持される（図３及び図４参照）。この扉（１０）の前方側への回動動作により、ブラシ出し入れ口（７）が開口するものとなる。この状態にしたのち、ブラシ体（３１）をケース本体（１）内から取り出す。
【００３３】
而して、このケース（Ｃ１）においては、扉（１０）の外面にはアルミニウム被覆層（１４）が設けられているので、静電気が発生し難く、また発生した静電気が逃げ易くなっており、そのため、ケース（Ｃ１）の外面に埃が付着し難くなっている。したがって、このケース（Ｃ１）を販売すべくこれを店頭に陳列した場合には、ケース（Ｃ１）の外面を長期間に亘って綺麗な状態に維持することができて、ふき取り掃除の回数を減らすことができる。一方、このケース（Ｃ１）を使用すべくトイレの隅部等に設置した場合には、清潔感を長期間に亘り維持することができる。
【００３４】
また、アルミニウム被覆層（１４）の表面は金属光沢を呈しているので、ケース（Ｃ１）に高級感が付与されている、したがって、このケース（Ｃ１）を店頭に陳列した場合には、お客の購入意欲をかき立てることができる。
【００３５】
しかも、アルミニウム被覆層（１４）は、アルミニウム薄板（１２）からなるので、当該被覆層（１４）を簡単な手段で設けることができる。
【００３６】
加えて、アルミニウム薄板（１２）は、扉（１０）の外面に設けられた凹部（１１）内に収容されることにより、当該薄板（１２）の表面と扉（１０）の外面とが面一に連なっているので、扉（１０）の外面には段差が存在しておらず、そのため、ケース（Ｃ１）の外観体裁は極めて良好である。しかも、アルミニウム薄板（１２）の縁で手や足を切る不具合も発生しない。
【００３７】
図６及び図７は、この発明の第２実施形態に係る清掃用ブラシケース（Ｃ２）を説明する図である。これらの図には、上記第１実施形態に係るケース（Ｃ１）と同じ要素に同一の符号が付されており、以下、この第２実施形態に係るケース（Ｃ２）を、上記第１実施形態のケース（Ｃ１）との相異点を中心に説明する
この第２実施形態に係るケース（Ｃ２）では、扉（１０）の外面には、その全面に亘って、金属被覆層としてのアルミニウム被覆層（１４）が設けられている。このアルミニウム被覆層（１４）は、公知の真空蒸着法により形成されたアルミニウム蒸着層（１３）からなる。このアルミニウム蒸着層（１３）の表面は鏡面的な金属光沢を呈している。このケース（Ｃ２）の他の構成及び使用方法は、上記第１実施形態のケース（Ｃ１）と同じであり、重複する説明を省略する。
【００３８】
この第２実施形態のケース（Ｃ２）によれば、アルミニウム被覆層（１４）はアルミニウム蒸着層（１３）からなるので、当該被覆層（１４）を簡易にかつ確実に形成することができる。
【００３９】
以上、この発明の実施形態について説明したが、この発明に係るケースは上記実施形態のものに限定されるものではなく、様々に設定変更可能である。
【００４０】
例えば、アルミニウム薄板（１２）等の金属薄板は、第１実施形態のケース（Ｃ１）では扉（１０）の外面の一部（詳述すると、中央から周縁近傍までの領域）にのみ設けられているが、この発明では、扉（１０）の外面の全面に設けられていても良い。また、アルミニウム蒸着層（１３）等の金属蒸着層は、第２実施形態のケース（Ｃ２）では扉（１０）の外面の全面に設けられているが、この発明では、扉（１０）の外面の一部にのみ設けられていても良い。
【００４１】
もとより、金属被覆層（１４）は、ケース本体（１）の外面（例えば左右両側壁（３）（３）の外面、天壁（４）の外面、後壁（２）の外面）にも設けられていても良いし、ケース本体（１）の内面や扉（１０）の内面にも設けられていても良い。
【００４２】
【発明の効果】
上述の次第で、この発明に係る清掃用ブラシケースは、扉の外面の少なくとも一部に、金属被覆層が設けられているので、静電気が発生し難く、また発生した静電気が逃げ易くなっており、そのため、静電気による埃の付着を抑制することができる。したがって、このケースを販売すべくこれを店頭に陳列した場合にあっては、ケースの表面を長期間に亘って綺麗な状態に維持することができて、ふき取り掃除の回数を減らすことができる。一方、このケースを使用する場合には、トイレ等の設置場所において長期間にわたり清潔感を維持することができる。しかも、このケースによれば、金属被覆層の表面が金属光沢を呈するものとなされているので、ケースに高級感が付与され、これを店頭に陳列した場合には、お客の購入意欲をかき立てることができるとともに、設置使用時において豪奢感を表出することができる。
【００４３】
また、金属被覆層が金属薄板からなる場合には、当該金属被覆層を簡単な手段で設けることができる。
【００４４】
また、金属薄板が扉の外面に形成された凹部内に収容された状態で設けられている場合には、ケースの外観体裁が良好になるし、金属薄板の縁で手や足を切る不具合を防止することができる。
【００４５】
また、金属被覆層が金属蒸着層からなる場合には、金属被覆層を所定部位に簡易にかつ確実に形成することができる。
【図面の簡単な説明】
【図１】この発明の第１実施形態に係る清掃用ブラシケースを、ブラシを収容した状態で示す側面図である。
【図２】同ケースを、ブラシを収容した状態で示す断面図である。
【図３】同ケースを、扉を開けた状態で示す斜視図である。
【図４】同ケース内にブラシを収容する途中の状態を示す断面図である。
【図５】（Ａ）は図４中のイ部分の拡大図、（Ｂ）は図４中のロ部分の拡大図である。
【図６】この発明の第２実施形態に係る清掃用ブラシケースであって、該ケース内にブラシを収容する途中の状態を示す、図４に対応する断面図である。
【図７】（Ａ）は図６中のハ部分の拡大図、（Ｂ）は図６中のニ部分の拡大図である。
【符号の説明】
Ｃ１、Ｃ２…清掃用ブラシケース
１…ケース本体
７…ブラシ出し入れ口
１０…扉
１２…アルミニウム薄板（金属薄板）
１３…アルミニウム蒸着層（金属蒸着層）
１４…アルミニウム被覆層（金属被覆層）
３０…トイレ清掃用柄付きブラシ（清掃用ブラシ）
３１…ブラシ体
【図１】
2004016536.tif 000003
【図２】
2004016536.tif 000004
【図３】
2004016536.tif 000005
【図４】
2004016536.tif 000006
【図５】
2004016536.tif 000007
【図６】
2004016536.tif 000008
【図７】
2004016536.tif 000009